(57)【要約】【課題】新たな配線工事を行わずに一般の電話機からＩＰネットワークを経由した通話を可能とする。【解決手段】情報盤１にはスプリッタ６、ＡＤＳＬモデム７、ルータ１２、ハブ１３、ＬＡＮ端子台２０及び分岐端子台２１に加えて、ネットワーク通話装置たるＶｏＩＰターミナルアダプタ２２が収容される。ＬＡＮコンセント１６に接続した端末１５からＡＤＳＬモデム７を介してインターネット接続サービスを利用することが可能であり、さらに電話コンセント１９に接続した電話機１８においては、通常の公衆電話回線網を介した通話だけでなく、ＶｏＩＰターミナルアダプタ２２によりＩＰネットワーク（インターネット）を経由した通話が可能となる。しかも、ＶｏＩＰターミナルアダプタ２２をＩＰネットワークや電話機１８に接続するための配線を先行配線しているので新たな配線工事を行う必要がない。【選択図】　　　　図１
2004088379.tif 000002
【特許請求の範囲】
【請求項１】
宅内に設置され公衆電話回線網の加入者線が引き込まれる情報盤と、前記加入者線に接続されて電話信号とｘＤＳＬ信号を分離するスプリッタと、前記スプリッタで分離されたｘＤＳＬ信号をデジタル信号に復調するとともにデジタル信号をｘＤＳＬ信号に変調するｘＤＳＬモデムと、ＬＡＮの複数の伝送路を集線する機能並びにルーティング機能の少なくとも何れか一方を有して前記ｘＤＳＬモデムと接続される１乃至複数のネットワーク機器と、電話機から入力する電話信号をＩＰパケット化して前記ネットワーク機器に出力する処理と前記電話機から入力する電話信号を前記スプリッタに出力する処理を前記電話機から入力する番号に応じて選択的に実行するとともに前記スプリッタから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記スプリッタ、ｘＤＳＬモデム、ネットワーク機器並びにネットワーク通話装置を前記情報盤に収容したことを特徴とするマルチメディア配線システム。
【請求項２】
宅内に設置され公衆電話回線網の加入者線が引き込まれる情報盤と、前記加入者線に接続されて電話信号とｘＤＳＬ信号を分離するスプリッタと、前記スプリッタで分離されたｘＤＳＬ信号をデジタル信号に復調するとともにデジタル信号をｘＤＳＬ信号に変調するｘＤＳＬモデムと、ＬＡＮの複数の伝送路を集線する機能並びにルーティング機能の少なくとも何れか一方を有して前記ｘＤＳＬモデムと接続される１乃至複数のネットワーク機器と、電話機から入力する電話信号をＩＰパケット化して前記ネットワーク機器に出力する処理と前記電話機から入力する電話信号を前記スプリッタに出力する処理を前記電話機から入力する番号に応じて選択的に実行するとともに前記スプリッタから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記スプリッタ、ｘＤＳＬモデム並びにネットワーク機器を前記情報盤に収容するとともに前記ネットワーク通話装置を前記ＬＡＮコンセント及び電話コンセントに接続したことを特徴とするマルチメディア配線システム。
【請求項３】
宅内に設置され公衆電話回線網の加入者線が引き込まれる情報盤と、前記加入者線に接続されて電話信号とｘＤＳＬ信号を分離するスプリッタと、前記スプリッタで分離されたｘＤＳＬ信号をデジタル信号に復調するとともにデジタル信号をｘＤＳＬ信号に変調するｘＤＳＬモデムと、ＬＡＮの複数の伝送路を集線する機能並びにルーティング機能の少なくとも何れか一方を有して前記ｘＤＳＬモデムと接続される１乃至複数のネットワーク機器と、電話機から入力する電話信号をＩＰパケット化して前記ネットワーク機器に出力する処理と前記電話機から入力する電話信号を前記スプリッタに出力する処理を前記電話機から入力する番号に応じて選択的に実行するとともに前記スプリッタから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ネットワーク機器を前記情報盤に収容し、前記ネットワーク通話装置を前記ＬＡＮコンセント及び電話コンセントに接続し、前記スプリッタを前記電話コンセントに接続するとともに前記ｘＤＳＬモデムを前記ＬＡＮコンセントに接続したことを特徴とするマルチメディア配線システム。
【請求項４】
宅内に設置され公衆電話回線網の加入者線が引き込まれる情報盤と、前記加入者線に接続されて電話信号とｘＤＳＬ信号を分離するスプリッタと、前記スプリッタで分離されたｘＤＳＬ信号をデジタル信号に復調するとともにデジタル信号をｘＤＳＬ信号に変調するｘＤＳＬモデムと、前記ｘＤＳＬモデムと接続されるルータと、ＬＡＮの複数の伝送路を集線して前記ルータに接続するハブと、電話機から入力する電話信号をＩＰパケット化して前記ハブに出力する処理と前記電話機から入力する電話信号を前記スプリッタに出力する処理を前記電話機から入力する番号に応じて選択的に実行するとともに前記スプリッタから入力する電話信号を前記電話機に出力する処理並びに前記ハブから入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ハブを前記情報盤に収容し、前記ネットワーク通話装置を前記ＬＡＮコンセント及び電話コンセントに接続し、前記スプリッタを前記電話コンセントに接続するとともに前記ｘＤＳＬモデム並びにルータを前記ＬＡＮコンセントに接続したことを特徴とするマルチメディア配線システム。
【請求項５】
宅内に設置され公衆電話回線網の加入者線並びにケーブルテレビの伝送線が引き込まれる情報盤と、前記伝送線に接続されてデータ通信用のアナログ信号をデジタル信号に復調するとともにデジタル信号を前記アナログ信号に変調するケーブルモデムと、ＬＡＮの複数の伝送路を集線する機能並びにルーティング機能の少なくとも何れか一方を有して前記ケーブルモデムと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ケーブルモデム、ネットワーク機器並びにネットワーク通話装置を前記情報盤に収容したことを特徴とするマルチメディア配線システム。
【請求項６】
宅内に設置され公衆電話回線網の加入者線並びにケーブルテレビの伝送線が引き込まれる情報盤と、前記伝送線に接続されてデータ通信用のアナログ信号をデジタル信号に復調するとともにデジタル信号を前記アナログ信号に変調するケーブルモデムと、ＬＡＮの複数の伝送路を集線する機能並びにルーティング機能の少なくとも何れか一方を有して前記ケーブルモデムと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ケーブルモデム並びにネットワーク機器を前記情報盤に収容するとともに前記ネットワーク通話装置を前記ＬＡＮコンセント及び電話コンセントに接続したことを特徴とするマルチメディア配線システム。
【請求項７】
宅内に設置され公衆電話回線網の加入者線並びにケーブルテレビの伝送線が引き込まれる情報盤と、前記伝送線に接続されてデータ通信用のアナログ信号をデジタル信号に復調するとともにデジタル信号を前記アナログ信号に変調するケーブルモデムと、ＬＡＮの複数の伝送路を集線する機能並びにルーティング機能の少なくとも何れか一方を有して前記ケーブルモデムと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ネットワーク機器を前記情報盤に収容し、前記ネットワーク通話装置を前記ＬＡＮコンセント及び電話コンセントに接続するとともに前記ケーブルモデムを前記ＬＡＮコンセントに接続したことを特徴とするマルチメディア配線システム。
【請求項８】
宅内に設置され公衆電話回線網の加入者線並びにケーブルテレビの伝送線が引き込まれる情報盤と、前記伝送線に接続されてデータ通信用のアナログ信号をデジタル信号に復調するとともにデジタル信号を前記アナログ信号に変調するケーブルモデムと、前記ケーブルモデムと接続されるルータと、ＬＡＮの複数の伝送路を集線して前記ルータに接続するハブと、電話機から入力する電話信号をＩＰパケット化して前記ハブに出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ハブから入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ハブを前記情報盤に収容し、前記ネットワーク通話装置を前記ＬＡＮコンセント及び電話コンセントに接続するとともに前記ケーブルモデム並びにルータを前記ＬＡＮコンセントに接続したことを特徴とするマルチメディア配線システム。
【請求項９】
宅内に設置され公衆電話回線網の加入者線並びにインターネットに接続するための光ファイバが引き込まれる情報盤と、前記光ファイバに接続されて光信号とデジタルの電気信号を相互に変換する光ネットワークユニットと、ＬＡＮの複数の伝送路を集線する機能並びにルーティング機能の少なくとも何れか一方を有して前記光ネットワークユニットと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記光ネットワークユニット、ネットワーク機器並びにネットワーク通話装置を前記情報盤に収容したことを特徴とするマルチメディア配線システム。
【請求項１０】
宅内に設置され公衆電話回線網の加入者線並びにインターネットに接続するための光ファイバが引き込まれる情報盤と、前記光ファイバに接続されて光信号とデジタルの電気信号を相互に変換する光ネットワークユニットと、ＬＡＮの複数の伝送路を集線する機能並びにルーティング機能の少なくとも何れか一方を有して前記光ネットワークユニットと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記光ネットワークユニット並びにネットワーク機器を前記情報盤に収容するとともに前記ネットワーク通話装置を前記ＬＡＮコンセント及び電話コンセントに接続したことを特徴とするマルチメディア配線システム。
【請求項１１】
宅内に設置され公衆電話回線網の加入者線並びにインターネットに接続するための光ファイバが引き込まれる情報盤と、前記光ファイバに接続されて光信号とデジタルの電気信号を相互に変換する光ネットワークユニットと、ＬＡＮの複数の伝送路を集線する機能並びにルーティング機能の少なくとも何れか一方を有して前記光ネットワークユニットと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ネットワーク機器を前記情報盤に収容し、前記ネットワーク通話装置を前記ＬＡＮコンセント及び電話コンセントに接続するとともに前記光ネットワークユニットを前記ＬＡＮコンセントに接続したことを特徴とするマルチメディア配線システム。
【請求項１２】
宅内に設置され公衆電話回線網の加入者線並びにインターネットに接続するための光ファイバが引き込まれる情報盤と、前記光ファイバに接続されて光信号とデジタルの電気信号を相互に変換する光ネットワークユニットと、前記光ネットワークユニットと接続されるルータと、ＬＡＮの複数の伝送路を集線して前記ルータに接続するハブと、電話機から入力する電話信号をＩＰパケット化して前記ハブに出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ハブから入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ハブを前記情報盤に収容し、前記ネットワーク通話装置を前記ＬＡＮコンセント及び電話コンセントに接続するとともに前記光ネットワークユニット並びにルータを前記ＬＡＮコンセントに接続したことを特徴とするマルチメディア配線システム。
【請求項１３】
宅内に設置されＩＳＤＮの加入者線が引き込まれる情報盤と、前記加入者線に接続される回線終端装置と、ＬＡＮ用のインタフェース及び電話機用のアナログインタフェースを有し前記回線終端装置に接続されるＩＳＤＮターミナルアダプタと、ＬＡＮの複数の伝送路を集線する機能並びにルーティング機能の少なくとも何れか一方とＷＡＮ用のインタフェースを有し前記ＩＳＤＮターミナルアダプタのＬＡＮ用のインタフェースに接続される１乃至複数のネットワーク機器と、電話機から入力する電話信号をＩＰパケット化して前記ネットワーク機器に出力する処理と前記電話機から入力する電話信号を前記ＩＳＤＮターミナルアダプタのアナログインタフェースに出力する処理を前記電話機から入力する番号に応じて選択的に実行するとともに前記ＩＳＤＮターミナルアダプタのアナログインタフェースから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記回線終端装置、ＩＳＤＮターミナルアダプタ、ネットワーク機器並びにネットワーク通話装置を前記情報盤に収容したことを特徴とするマルチメディア配線システム。
【請求項１４】
宅内に設置されＩＳＤＮの加入者線が引き込まれる情報盤と、前記加入者線に接続される回線終端装置と、ＬＡＮ用のインタフェース及び電話機用のアナログインタフェースを有し前記回線終端装置に接続されるＩＳＤＮターミナルアダプタと、ＬＡＮの複数の伝送路を集線する機能並びにルーティング機能の少なくとも何れか一方とＷＡＮ用のインタフェースを有し前記ＩＳＤＮターミナルアダプタのＬＡＮ用のインタフェースに接続される１乃至複数のネットワーク機器と、電話機から入力する電話信号をＩＰパケット化して前記ネットワーク機器に出力する処理と前記電話機から入力する電話信号を前記ＩＳＤＮターミナルアダプタのアナログインタフェースに出力する処理を前記電話機から入力する番号に応じて選択的に実行するとともに前記ＩＳＤＮターミナルアダプタのアナログインタフェースから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記回線終端装置、ＩＳＤＮターミナルアダプタ並びにネットワーク機器を前記情報盤に収容するとともに前記ネットワーク通話装置を前記ＬＡＮコンセント及び電話コンセントに接続したことを特徴とするマルチメディア配線システム。
【請求項１５】
宅内に設置されＩＳＤＮの加入者線が引き込まれる情報盤と、前記加入者線に接続される回線終端装置と、ＬＡＮ用のインタフェース及び電話機用のアナログインタフェースを有し前記回線終端装置に接続されるＩＳＤＮターミナルアダプタと、ＬＡＮの複数の伝送路を集線する機能並びにルーティング機能の少なくとも何れか一方とＷＡＮ用のインタフェースを有し前記ＩＳＤＮターミナルアダプタのＬＡＮ用のインタフェースに接続される１乃至複数のネットワーク機器と、電話機から入力する電話信号をＩＰパケット化して前記ネットワーク機器に出力する処理と前記電話機から入力する電話信号を前記ＩＳＤＮターミナルアダプタのアナログインタフェースに出力する処理を前記電話機から入力する番号に応じて選択的に実行するとともに前記ＩＳＤＮターミナルアダプタのアナログインタフェースから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ネットワーク機器を前記情報盤に収容し、前記ネットワーク通話装置を前記ＬＡＮコンセント及び電話コンセントに接続し、前記回線終端装置を前記電話コンセントに接続するとともに前記ＩＳＤＮターミナルアダプタのＬＡＮ用のインタフェースを前記ＬＡＮコンセントに接続し且つ電話機用のアナログインタフェースを前記電話コンセントに接続したことを特徴とするマルチメディア配線システム。
【請求項１６】
宅内に設置されＩＳＤＮの加入者線が引き込まれる情報盤と、前記加入者線に接続される回線終端装置と、ＬＡＮ用のインタフェース及び電話機用のアナログインタフェースを有し前記回線終端装置に接続されるＩＳＤＮターミナルアダプタと、前記ＩＳＤＮターミナルアダプタのＬＡＮ用のインタフェースに接続されるルータと、ＬＡＮの複数の伝送路を集線して前記ルータに接続するハブと、電話機から入力する電話信号をＩＰパケット化して前記ハブに出力する処理と前記電話機から入力する電話信号を前記ＩＳＤＮターミナルアダプタのアナログインタフェースに出力する処理を前記電話機から入力する番号に応じて選択的に実行するとともに前記ＩＳＤＮターミナルアダプタのアナログインタフェースから入力する電話信号を前記電話機に出力する処理並びに前記ハブから入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ハブを前記情報盤に収容し、前記ネットワーク通話装置を前記ＬＡＮコンセント及び電話コンセントに接続し、前記ルータを前記ＬＡＮコンセントに接続し、前記回線終端装置を前記電話コンセントに接続するとともに前記ＩＳＤＮターミナルアダプタのＬＡＮ用のインタフェースを前記ルータに接続し且つ電話機用のアナログインタフェースを前記電話コンセントに接続したことを特徴とするマルチメディア配線システム。
【請求項１７】
前記ネットワーク通話装置は、ＤＴＭＦ信号により前記電話機から入力される番号が特定の番号か否かを識別し特定番号の場合には電話機から入力する電話信号を前記加入者線に出力する処理を行うとともに前記加入者線から入力する電話信号を前記電話機に出力する処理を行う番号識別部と、前記特定番号でない場合に電話機から入力するアナログの電話信号をデジタル信号に変換するコード部と、前記コード部で変換されたデジタル信号をＩＰパケット化するＩＰパケット化部と、前記ハブから入力するＩＰパケットから元のデジタル信号を復元するＩＰパケット復元部と、復元されたデジタル信号をアナログの電話信号に変換するデコード部とを具備することを特徴とする請求項１〜１６の何れかに記載のマルチメディア配線システム。
【請求項１８】
通話相手から周期的に送信されたＩＰパケットのゆらぎを吸収するゆらぎ吸収部を前記ネットワーク通話装置に具備することを特徴とする請求項１７記載のマルチメディア配線システム。
【発明の詳細な説明】
【０００１】
【発明の属する技術分野】
本発明は、マルチメディア配線システムに関するものである。
【０００２】
【従来の技術】
現在、ケーブルテレビやｘＤＳＬあるいは光ファイバやＩＳＤＮなどの様々なインターネット接続サービスが提供されており、宅内の複数の部屋で前記インターネット接続サービスを利用するにあたって、イーサネット（Ｒ）に代表されるＬＡＮの配線を電話用の配線とともに宅内の要所に先行配線するマルチメディア配線システムが普及しつつある。
【０００３】
図１９〜図２２は従来のマルチメディア配線システムの構成例を示している。図１９及び図２２に示すように、情報盤１は宅内の壁面などに設置されており、保安器２を介して公衆電話回線網の加入者線３が内部に引き込まれている。そして、加入者線３を介してＡＤＳＬやＩＳＤＮによるインターネット接続サービスが提供される。また、インターネット接続サービスとしてケーブルテレビを利用する場合には、図２０に示すようにケーブルテレビの伝送線（同軸ケーブル）４が情報盤１の内部に引き込まれ、光ファイバを利用する場合には、図２１に示すように光ファイバ３４が情報盤１の内部に引き込まれる。さらに、情報盤１にはそれぞれのサービスに必要な機器、すなわち、ＡＤＳＬの場合のスプリッタ６及びＡＤＳＬモデム７、ケーブルテレビの場合のケーブルテレビ（ＣＡＴＶ）ブースタ３１及びケーブルモデム（ＣＡＴＶモデム）３２、光ファイバの場合の光ネットワークユニット（ＯＮＵ）３３、ＩＳＤＮの場合のＤＳＵ（回線終端装置）内蔵型のＩＳＤＮターミナルアダプタ３５と、各サービスに共通するＬＡＮ用のネットワーク機器、すなわち、ルータ１２及びハブ（またはスイッチングハブ）１３とが収容される。なお、スイッチングハブの機能とルーティング機能を併せ持ったネットワーク機器、すなわちＬＡＮ用の複数のポートを具備したスイッチングハブ機能付きのルータを用いる場合もある。
【０００４】
一方、宅内の各部屋には先行配線されたＬＡＮの伝送路（ＬＡＮケーブル）１４をＬＡＮの端末（ネットワーク接続機能を有するパーソナルコンピュータなど）１５と接続するためのＬＡＮコンセント１６と、宅内に先行配線される電話信号用の通話路（電話線）１７を電話機１８に接続するための電話コンセント１９とが配設される。ここで、ＬＡＮコンセント１６にはＲＪ−４５のモジュラコネクタを用い、電話コンセント１９にはＲＪ−１１のモジュラコネクタを用いている。なお、ＬＡＮケーブル１４や電話線１７は情報盤１に収容されたＬＡＮ端子台２０及び分岐端子台２１を介してそれぞれハブ１３等に接続されている。
【０００５】
而して、何れの方式のサービスにおいても電話コンセント１９に接続した電話機１８で通話が行われ、ＬＡＮコンセント１６に接続した端末１５でインターネット接続サービスが利用される。
【０００６】
【発明が解決しようとする課題】
ところで、近年ではインターネットに代表されるＩＰネットワーク上に音声を通す技術であるＶｏＩＰ（Ｖｏｉｃｅ　ｏｖｅｒ　ＩＰ）の開発が急速に進展してきており、このＶｏＩＰの利用形態としてＩＰネットワーク経由で通話する、所謂インターネット電話が本格的に普及しつつある。しかしながら、従来のマルチメディア配線システムは、一般の電話機からＩＰネットワークを経由して通話することができず、このようなＩＰネットワーク経由の通話サービスを利用するにあたって新たな配線工事が必要であった。
【０００７】
本発明は上記事情に鑑みて為されたものであり、その目的は、新たな配線工事を行わずに一般の電話機からＩＰネットワークを経由して通話することができるマルチメディア配線システムを提供することにある。
【０００８】
【課題を解決するための手段】
請求項１の発明は、上記目的を達成するために、宅内に設置され公衆電話回線網の加入者線が引き込まれる情報盤と、前記加入者線に接続されて電話信号とｘＤＳＬ信号を分離するスプリッタと、前記スプリッタで分離されたｘＤＳＬ信号をデジタル信号に復調するとともにデジタル信号をｘＤＳＬ信号に変調するｘＤＳＬモデムと、ＬＡＮの複数の伝送路を集線する機能並びにルーティング機能の少なくとも何れか一方を有して前記ｘＤＳＬモデムと接続される１乃至複数のネットワーク機器と、電話機から入力する電話信号をＩＰパケット化して前記ネットワーク機器に出力する処理と前記電話機から入力する電話信号を前記スプリッタに出力する処理を前記電話機から入力する番号に応じて選択的に実行するとともに前記スプリッタから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記スプリッタ、ｘＤＳＬモデム、ネットワーク機器並びにネットワーク通話装置を前記情報盤に収容したことを特徴とする。
【０００９】
請求項２の発明は、上記目的を達成するために、宅内に設置され公衆電話回線網の加入者線が引き込まれる情報盤と、前記加入者線に接続されて電話信号とｘＤＳＬ信号を分離するスプリッタと、前記スプリッタで分離されたｘＤＳＬ信号をデジタル信号に復調するとともにデジタル信号をｘＤＳＬ信号に変調するｘＤＳＬモデムと、ＬＡＮの複数の伝送路を集線する機能並びにルーティング機能の少なくとも何れか一方を有して前記ｘＤＳＬモデムと接続される１乃至複数のネットワーク機器と、電話機から入力する電話信号をＩＰパケット化して前記ネットワーク機器に出力する処理と前記電話機から入力する電話信号を前記スプリッタに出力する処理を前記電話機から入力する番号に応じて選択的に実行するとともに前記スプリッタから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記スプリッタ、ｘＤＳＬモデム並びにネットワーク機器を前記情報盤に収容するとともに前記ネットワーク通話装置を前記ＬＡＮコンセント及び電話コンセントに接続したことを特徴とする。
【００１０】
請求項３の発明は、上記目的を達成するために、宅内に設置され公衆電話回線網の加入者線が引き込まれる情報盤と、前記加入者線に接続されて電話信号とｘＤＳＬ信号を分離するスプリッタと、前記スプリッタで分離されたｘＤＳＬ信号をデジタル信号に復調するとともにデジタル信号をｘＤＳＬ信号に変調するｘＤＳＬモデムと、ＬＡＮの複数の伝送路を集線する機能並びにルーティング機能の少なくとも何れか一方を有して前記ｘＤＳＬモデムと接続される１乃至複数のネットワーク機器と、電話機から入力する電話信号をＩＰパケット化して前記ネットワーク機器に出力する処理と前記電話機から入力する電話信号を前記スプリッタに出力する処理を前記電話機から入力する番号に応じて選択的に実行するとともに前記スプリッタから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ネットワーク機器を前記情報盤に収容し、前記ネットワーク通話装置を前記ＬＡＮコンセント及び電話コンセントに接続し、前記スプリッタを前記電話コンセントに接続するとともに前記ｘＤＳＬモデムを前記ＬＡＮコンセントに接続したことを特徴とする。
【００１１】
請求項４の発明は、上記目的を達成するために、宅内に設置され公衆電話回線網の加入者線が引き込まれる情報盤と、前記加入者線に接続されて電話信号とｘＤＳＬ信号を分離するスプリッタと、前記スプリッタで分離されたｘＤＳＬ信号をデジタル信号に復調するとともにデジタル信号をｘＤＳＬ信号に変調するｘＤＳＬモデムと、前記ｘＤＳＬモデムと接続されるルータと、ＬＡＮの複数の伝送路を集線して前記ルータに接続するハブと、電話機から入力する電話信号をＩＰパケット化して前記ハブに出力する処理と前記電話機から入力する電話信号を前記スプリッタに出力する処理を前記電話機から入力する番号に応じて選択的に実行するとともに前記スプリッタから入力する電話信号を前記電話機に出力する処理並びに前記ハブから入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ハブを前記情報盤に収容し、前記ネットワーク通話装置を前記ＬＡＮコンセント及び電話コンセントに接続し、前記スプリッタを前記電話コンセントに接続するとともに前記ｘＤＳＬモデム並びにルータを前記ＬＡＮコンセントに接続したことを特徴とする。
【００１２】
請求項５の発明は、上記目的を達成するために、宅内に設置され公衆電話回線網の加入者線並びにケーブルテレビの伝送線が引き込まれる情報盤と、前記伝送線に接続されてデータ通信用のアナログ信号をデジタル信号に復調するとともにデジタル信号を前記アナログ信号に変調するケーブルモデムと、ＬＡＮの複数の伝送路を集線する機能並びにルーティング機能の少なくとも何れか一方を有して前記ケーブルモデムと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ケーブルモデム、ネットワーク機器並びにネットワーク通話装置を前記情報盤に収容したことを特徴とする。
【００１３】
請求項６の発明は、上記目的を達成するために、宅内に設置され公衆電話回線網の加入者線並びにケーブルテレビの伝送線が引き込まれる情報盤と、前記伝送線に接続されてデータ通信用のアナログ信号をデジタル信号に復調するとともにデジタル信号を前記アナログ信号に変調するケーブルモデムと、ＬＡＮの複数の伝送路を集線する機能並びにルーティング機能の少なくとも何れか一方を有して前記ケーブルモデムと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ケーブルモデム並びにネットワーク機器を前記情報盤に収容するとともに前記ネットワーク通話装置を前記ＬＡＮコンセント及び電話コンセントに接続したことを特徴とする。
【００１４】
請求項７の発明は、上記目的を達成するために、宅内に設置され公衆電話回線網の加入者線並びにケーブルテレビの伝送線が引き込まれる情報盤と、前記伝送線に接続されてデータ通信用のアナログ信号をデジタル信号に復調するとともにデジタル信号を前記アナログ信号に変調するケーブルモデムと、ＬＡＮの複数の伝送路を集線する機能並びにルーティング機能の少なくとも何れか一方を有して前記ケーブルモデムと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ネットワーク機器を前記情報盤に収容し、前記ネットワーク通話装置を前記ＬＡＮコンセント及び電話コンセントに接続するとともに前記ケーブルモデムを前記ＬＡＮコンセントに接続したことを特徴とする。
【００１５】
請求項８の発明は、上記目的を達成するために、宅内に設置され公衆電話回線網の加入者線並びにケーブルテレビの伝送線が引き込まれる情報盤と、前記伝送線に接続されてデータ通信用のアナログ信号をデジタル信号に復調するとともにデジタル信号を前記アナログ信号に変調するケーブルモデムと、前記ケーブルモデムと接続されるルータと、ＬＡＮの複数の伝送路を集線して前記ルータに接続するハブと、電話機から入力する電話信号をＩＰパケット化して前記ハブに出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ハブから入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ハブを前記情報盤に収容し、前記ネットワーク通話装置を前記ＬＡＮコンセント及び電話コンセントに接続するとともに前記ケーブルモデム並びにルータを前記ＬＡＮコンセントに接続したことを特徴とする。
【００１６】
請求項９の発明は、上記目的を達成するために、宅内に設置され公衆電話回線網の加入者線並びにインターネットに接続するための光ファイバが引き込まれる情報盤と、前記光ファイバに接続されて光信号とデジタルの電気信号を相互に変換する光ネットワークユニットと、ＬＡＮの複数の伝送路を集線する機能並びにルーティング機能の少なくとも何れか一方を有して前記光ネットワークユニットと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記光ネットワークユニット、ネットワーク機器並びにネットワーク通話装置を前記情報盤に収容したことを特徴とする。
【００１７】
請求項１０の発明は、上記目的を達成するために、宅内に設置され公衆電話回線網の加入者線並びにインターネットに接続するための光ファイバが引き込まれる情報盤と、前記光ファイバに接続されて光信号とデジタルの電気信号を相互に変換する光ネットワークユニットと、ＬＡＮの複数の伝送路を集線する機能並びにルーティング機能の少なくとも何れか一方を有して前記光ネットワークユニットと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記光ネットワークユニット並びにネットワーク機器を前記情報盤に収容するとともに前記ネットワーク通話装置を前記ＬＡＮコンセント及び電話コンセントに接続したことを特徴とする。
【００１８】
請求項１１の発明は、上記目的を達成するために、宅内に設置され公衆電話回線網の加入者線並びにインターネットに接続するための光ファイバが引き込まれる情報盤と、前記光ファイバに接続されて光信号とデジタルの電気信号を相互に変換する光ネットワークユニットと、ＬＡＮの複数の伝送路を集線する機能並びにルーティング機能の少なくとも何れか一方を有して前記光ネットワークユニットと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ネットワーク機器を前記情報盤に収容し、前記ネットワーク通話装置を前記ＬＡＮコンセント及び電話コンセントに接続するとともに前記光ネットワークユニットを前記ＬＡＮコンセントに接続したことを特徴とする。
【００１９】
請求項１２の発明は、上記目的を達成するために、宅内に設置され公衆電話回線網の加入者線並びにインターネットに接続するための光ファイバが引き込まれる情報盤と、前記光ファイバに接続されて光信号とデジタルの電気信号を相互に変換する光ネットワークユニットと、前記光ネットワークユニットと接続されるルータと、ＬＡＮの複数の伝送路を集線して前記ルータに接続するハブと、電話機から入力する電話信号をＩＰパケット化して前記ハブに出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ハブから入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ハブを前記情報盤に収容し、前記ネットワーク通話装置を前記ＬＡＮコンセント及び電話コンセントに接続するとともに前記光ネットワークユニット並びにルータを前記ＬＡＮコンセントに接続したことを特徴とする。
【００２０】
請求項１３の発明は、上記目的を達成するために、宅内に設置されＩＳＤＮの加入者線が引き込まれる情報盤と、前記加入者線に接続される回線終端装置と、ＬＡＮ用のインタフェース及び電話機用のアナログインタフェースを有し前記回線終端装置に接続されるＩＳＤＮターミナルアダプタと、ＬＡＮの複数の伝送路を集線する機能並びにルーティング機能の少なくとも何れか一方とＷＡＮ用のインタフェースを有し前記ＩＳＤＮターミナルアダプタのＬＡＮ用のインタフェースに接続される１乃至複数のネットワーク機器と、電話機から入力する電話信号をＩＰパケット化して前記ネットワーク機器に出力する処理と前記電話機から入力する電話信号を前記ＩＳＤＮターミナルアダプタのアナログインタフェースに出力する処理を前記電話機から入力する番号に応じて選択的に実行するとともに前記ＩＳＤＮターミナルアダプタのアナログインタフェースから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記回線終端装置、ＩＳＤＮターミナルアダプタ、ネットワーク機器並びにネットワーク通話装置を前記情報盤に収容したことを特徴とする。
【００２１】
請求項１４の発明は、上記目的を達成するために、宅内に設置されＩＳＤＮの加入者線が引き込まれる情報盤と、前記加入者線に接続される回線終端装置と、ＬＡＮ用のインタフェース及び電話機用のアナログインタフェースを有し前記回線終端装置に接続されるＩＳＤＮターミナルアダプタと、ＬＡＮの複数の伝送路を集線する機能並びにルーティング機能の少なくとも何れか一方とＷＡＮ用のインタフェースを有し前記ＩＳＤＮターミナルアダプタのＬＡＮ用のインタフェースに接続される１乃至複数のネットワーク機器と、電話機から入力する電話信号をＩＰパケット化して前記ネットワーク機器に出力する処理と前記電話機から入力する電話信号を前記ＩＳＤＮターミナルアダプタのアナログインタフェースに出力する処理を前記電話機から入力する番号に応じて選択的に実行するとともに前記ＩＳＤＮターミナルアダプタのアナログインタフェースから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記回線終端装置、ＩＳＤＮターミナルアダプタ並びにネットワーク機器を前記情報盤に収容するとともに前記ネットワーク通話装置を前記ＬＡＮコンセント及び電話コンセントに接続したことを特徴とする。
【００２２】
請求項１５の発明は、上記目的を達成するために、宅内に設置されＩＳＤＮの加入者線が引き込まれる情報盤と、前記加入者線に接続される回線終端装置と、ＬＡＮ用のインタフェース及び電話機用のアナログインタフェースを有し前記回線終端装置に接続されるＩＳＤＮターミナルアダプタと、ＬＡＮの複数の伝送路を集線する機能並びにルーティング機能の少なくとも何れか一方とＷＡＮ用のインタフェースを有し前記ＩＳＤＮターミナルアダプタのＬＡＮ用のインタフェースに接続される１乃至複数のネットワーク機器と、電話機から入力する電話信号をＩＰパケット化して前記ネットワーク機器に出力する処理と前記電話機から入力する電話信号を前記ＩＳＤＮターミナルアダプタのアナログインタフェースに出力する処理を前記電話機から入力する番号に応じて選択的に実行するとともに前記ＩＳＤＮターミナルアダプタのアナログインタフェースから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ネットワーク機器を前記情報盤に収容し、前記ネットワーク通話装置を前記ＬＡＮコンセント及び電話コンセントに接続し、前記回線終端装置を前記電話コンセントに接続するとともに前記ＩＳＤＮターミナルアダプタのＬＡＮ用のインタフェースを前記ＬＡＮコンセントに接続し且つ電話機用のアナログインタフェースを前記電話コンセントに接続したことを特徴とする。
【００２３】
請求項１６の発明は、上記目的を達成するために、宅内に設置されＩＳＤＮの加入者線が引き込まれる情報盤と、前記加入者線に接続される回線終端装置と、ＬＡＮ用のインタフェース及び電話機用のアナログインタフェースを有し前記回線終端装置に接続されるＩＳＤＮターミナルアダプタと、前記ＩＳＤＮターミナルアダプタのＬＡＮ用のインタフェースに接続されるルータと、ＬＡＮの複数の伝送路を集線して前記ルータに接続するハブと、電話機から入力する電話信号をＩＰパケット化して前記ハブに出力する処理と前記電話機から入力する電話信号を前記ＩＳＤＮターミナルアダプタのアナログインタフェースに出力する処理を前記電話機から入力する番号に応じて選択的に実行するとともに前記ＩＳＤＮターミナルアダプタのアナログインタフェースから入力する電話信号を前記電話機に出力する処理並びに前記ハブから入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ハブを前記情報盤に収容し、前記ネットワーク通話装置を前記ＬＡＮコンセント及び電話コンセントに接続し、前記ルータを前記ＬＡＮコンセントに接続し、前記回線終端装置を前記電話コンセントに接続するとともに前記ＩＳＤＮターミナルアダプタのＬＡＮ用のインタフェースを前記ルータに接続し且つ電話機用のアナログインタフェースを前記電話コンセントに接続したことを特徴とする。
【００２４】
請求項１７の発明は、請求項１〜１６の何れかの発明において、前記ネットワーク通話装置は、ＤＴＭＦ信号により前記電話機から入力される番号が特定の番号か否かを識別し特定番号の場合には電話機から入力する電話信号を前記加入者線に出力する処理を行うとともに前記加入者線から入力する電話信号を前記電話機に出力する処理を行う番号識別部と、前記特定番号でない場合に電話機から入力するアナログの電話信号をデジタル信号に変換するコード部と、前記コード部で変換されたデジタル信号をＩＰパケット化するＩＰパケット化部と、前記ハブから入力するＩＰパケットから元のデジタル信号を復元するＩＰパケット復元部と、復元されたデジタル信号をアナログの電話信号に変換するデコード部とを具備することを特徴とする。
【００２５】
請求項１８の発明は、請求項１７の発明において、通話相手から周期的に送信されたＩＰパケットのゆらぎを吸収するゆらぎ吸収部を前記ネットワーク通話装置に具備することを特徴とする。
【００２６】
【発明の実施の形態】
（実施形態１）
本実施形態はインターネット接続サービスとしてＡＤＳＬを利用するものであって、その概略構成を図１に示す。但し、従来例と共通の構成要素には同一の符号を付して説明を省略する。図１に示すように、情報盤１にはスプリッタ６、ＡＤＳＬモデム７、ルータ１２、ハブ１３、ＬＡＮ端子台２０及び分岐端子台２１に加えて、ネットワーク通話装置たるＶｏＩＰターミナルアダプタ２２が収容される。また、宅内の要所にはＬＡＮコンセント１６及び電話コンセント１９が既存の大角形連用配線器具の取付枠（ＪＩＳ　Ｃ　８３７５参照）及びフラッシプレート（ＪＩＳ　Ｃ　８３１６参照）を用いて壁面に埋込配設されている。
【００２７】
ＶｏＩＰターミナルアダプタ２２は、図２に示すように番号識別部２３、コーデック部２４、ＩＰパケット化／復元部２５、アドレス検索／確認部２６、データベース２７、ＬＡＮインタフェース部２８、電話インタフェース部２９並びにゆらぎ吸収部３０を具備している。
【００２８】
番号識別部２３は、ＤＴＭＦ信号により電話機１８から入力される電話番号が特定の番号（例えば、警察や消防などへの緊急電話サービスの特定番号）か否かを識別し、特定番号の場合には電話機１８から入力する電話信号を加入者線３に出力する処理を行うとともに加入者線３から入力する電話信号を電話機１８に出力する処理を行う。コーデック部２４は、特定番号でない場合に電話機１８から入力するアナログの電話信号をデジタル信号（音声データ）に変換するとともにデジタル信号（音声データ）をアナログの電話信号に変換する。また、ＩＰパケット化／復元部２５は、コーデック部２４で変換されたデジタル信号をＩＰパケット化するとともにハブ１３から入力するＩＰパケットから元のデジタル信号を復元する。
【００２９】
アドレス検索／確認部２６は、送信時においてはデータベース２７を検索して相手先の電話番号に対応するＩＰアドレスを取得するとともに取得したＩＰアドレスをＩＰパケット化／復元部２５から出力されるＩＰパケットのヘッダに付加してＬＡＮインタフェース部２８に出力し、受信時においてはＬＡＮインタフェース部２８から入力されるＩＰパケットのヘッダに含まれるＩＰアドレスが自己に割り当てられているＩＰアドレスと一致することを確認する。ここで、データベース２７には通話相手先の電話番号とＩＰアドレス（例えば、通話相手の電話機が接続されているＶｏＩＰターミナルアダプタに割り当てられたグローバルＩＰアドレス）の対応関係を示すデータテーブルが登録されている。但し、相手先の電話番号からＩＰアドレスを取得する機能や電話番号とＩＰアドレスの対応関係を管理する機能をＩＰネットワーク上のゲートウェイ（ＶｏＩＰゲートウェイ）に持たせる場合もある。
【００３０】
ＬＡＮインタフェース部２６はＬＡＮとの接続を行い、電話インタフェース部２７は電話回線（加入者線）との接続を行うためのものである。
【００３１】
また、ゆらぎ吸収部３０は、ＩＰネットワークから受信したＩＰパケットを一時的に格納するバッファを具備しており、格納したＩＰパケットが所定数に達した時点でＩＰパケット化／復元部２５に対して順次出力する。すなわち、ＩＰネットワークのなかでもインターネットでは一般的にトラフィックの規制が行われていないから、一時的にトラフィックが増大した場合等において、周期的に送信されるＩＰパケットが遅延し、受信側にＩＰパケットが到達するタイミングにばらつきが生じて所謂「ゆらぎ」が生じてしまい、受信したＩＰパケットを一定の周期で復元していると音声の乱れや会話の時間差などの不具合が発生するので、このようなＩＰパケットの到達タイミングのばらつきによるゆらぎをゆらぎ吸収部３０で吸収することにより、上述のような音声の乱れや会話の時間差等の不具合の発生を防止することができる。
【００３２】
次に、ＶｏＩＰターミナルアダプタ２２の全体的な動作を説明する。まず、電話機１８から電話をかける場合について説明する。電話機１８で相手先の電話番号をダイヤルすると、ダイヤルされた電話番号がＤＴＭＦ信号により電話機１８からＶｏＩＰターミナルアダプタ２２に対して出力される。ＶｏＩＰターミナルアダプタ２２では、番号識別部２３にて電話機１８からＤＴＭＦ信号により入力される電話番号が「１１０」や「１１９」などの特定番号か否かを識別し、特定番号の場合には電話機１８から入力する電話信号を加入者線３に出力する処理を行うことで公衆電話回線網を通じた通常の通話が行われる。また、番号識別部２３は、入力された電話番号が特定番号でない場合であってもデータベース２７のデータテーブルに通話相手先の電話番号として登録されていなければ、特定番号の場合と同様に電話機１８から入力する電話信号を加入者線３に出力する処理を行う。
【００３３】
一方、入力された電話番号が特定番号でなく且つデータテーブルに登録されていれば、電話機１８から入力される電話信号が番号識別部２３を介してコーデック部２４に入力される。コーデック部２４では電話機１８から入力するアナログの電話信号をデジタル信号（音声データ）に変換してＩＰパケット化／復元部２５に出力し、ＩＰパケット化／復元部２５においてコーデック部２４で変換されたデジタル信号がＩＰパケット化される。そして、アドレス検索／確認部２６がデータベース２７を検索して相手先の電話番号に対応するＩＰアドレスを取得するとともに取得したＩＰアドレスをＩＰパケット化／復元部２５から出力されるＩＰパケットのヘッダに付加してＬＡＮインタフェース部２８に出力し、ＬＡＮインタフェース部２８からＩＰネットワーク（インターネット）を介して相手先のＶｏＩＰターミナルアダプタあるいはＶｏＩＰゲートウェイに対して音声データのＩＰパケットが順次送信される。
【００３４】
次に電話機１８で電話を受ける場合について説明する。まず、加入者線３を通じてＶｏＩＰターミナルアダプタ２２の電話インタフェース部２９にリンガ信号が入力されると、番号識別部２３を介して電話機１８にリンガ信号が出力されることにより電話機１８において呼出音が鳴動され、呼出音に応じて電話機１８がオフフックされると公衆電話回線網を介した通常の通話が可能となる。
【００３５】
一方、ＩＰネットワーク（インターネット）からＶｏＩＰターミナルアダプタ２２のＬＡＮインタフェース部２８でＩＰパケットを受信すると、アドレス検索／確認部２６で受信したＩＰパケットに含まれるアドレスがＶｏＩＰターミナルアダプタ２２のＩＰアドレスと一致することを確認した後、ゆらぎ吸収部３０に受信したＩＰパケットを出力する。ゆらぎ吸収部３０は、ＩＰパケットをバッファに格納するとともに格納したＩＰパケットが所定数に達した時点でＩＰパケット化／復元部２５に対して順次出力する。ゆらぎ吸収部３０から順次出力されるＩＰパケットがＩＰパケット化／復元部２５にて音声データ（デジタル信号）に復元され、コーデック部２４にてアナログ信号に変換された後に番号識別部２３を介して電話機１８に出力されて通話が行われる。
【００３６】
而して、従来例と同様にＬＡＮコンセント１６に接続した端末１５からＡＤＳＬモデム７を介してインターネット接続サービスを利用することが可能であり、さらに電話コンセント１９に接続した電話機（一般の固定電話機）１８においては、通常の公衆電話回線網を介した通話だけでなく、ＶｏＩＰターミナルアダプタ２２によりＩＰネットワーク（インターネット）を経由した通話が可能となる。このように本実施形態では、ＶｏＩＰターミナルアダプタ２２により一般の電話機１８からＩＰネットワーク（インターネット）を経由して通話することができ、しかも、ＶｏＩＰターミナルアダプタ２２をＩＰネットワークや電話機１８に接続するための配線を先行配線しているので新たな配線工事を行う必要がなく、宅内の美観が損なわれることもないものである。また、図１９に示した従来システムに対してＶｏＩＰターミナルアダプタ２２を追加するだけでよいから、システムの変更が非常に簡単に行えるという利点がある。
【００３７】
（実施形態２）
本実施形態もインターネット接続サービスとしてＡＤＳＬを利用するものであって、その概略構成を図３に示す。但し、実施形態１と共通の構成要素には同一の符号を付して説明を省略する。
【００３８】
本実施形態が実施形態１と異なる点は、図３に示すようにＶｏＩＰターミナルアダプタ２２を情報盤１に収容せずに宅内の要所に埋込配設されるＬＡＮコンセント１６１及び電話コンセント１９１，１９２に接続する構成とした点にある。すなわち、ＶｏＩＰターミナルアダプタ２２は電話コンセント１９１を介してスプリッタ６に接続され、別の電話コンセント１９２から情報盤１の分岐端子台２１を介して電話機１８が接続された電話コンセント１９３に接続されるとともに、ＬＡＮコンセント１６１からＬＡＮ端子台２０を介してハブ１３に接続される。
【００３９】
上述のように本実施形態では、ＶｏＩＰターミナルアダプタ２２を情報盤１に収容せずにＬＡＮコンセント１６１及び電話コンセント１９１，１９２に外付けで接続するようにしているから、異なる種類のＶｏＩＰターミナルアダプタ２２にも容易に対応することができ、例えば、インターネット電話サービスを提供する事業者毎にＶｏＩＰターミナルアダプタが異なる場合にも最適なＶｏＩＰターミナルアダプタ２２を選択することが可能である。
【００４０】
（実施形態３）
本実施形態もインターネット接続サービスとしてＡＤＳＬを利用するものであって、その概略構成を図４に示す。但し、実施形態１と共通の構成要素には同一の符号を付して説明を省略する。
【００４１】
本実施形態が実施形態１と異なる点は、図４に示すようにスプリッタ６、ＡＤＳＬモデム７並びにＶｏＩＰターミナルアダプタ２２を情報盤１に収容せずに宅内の要所に埋込配設されるＬＡＮコンセント１６１〜１６３及び電話コンセント１９１，１９２に接続する構成とした点にある。すなわち、スプリッタ６は電話コンセント１９１を介して加入者線３と接続され、ＡＤＳＬモデム７はスプリッタ６に直接接続されるとともにＬＡＮコンセント１６１を介してルータ１２と接続される。また、ＶｏＩＰターミナルアダプタ２２はスプリッタ６に直接接続されるとともに電話コンセント１９２から情報盤１の分岐端子台２１を介して電話機１８が接続された電話コンセント１９３に接続され、さらにＬＡＮコンセント１６２からＬＡＮ端子台２０を介してハブ１３に接続される。
【００４２】
上述のように本実施形態では、スプリッタ６、ＡＤＳＬモデム７並びにＶｏＩＰターミナルアダプタ２２を情報盤１に収容せずに宅内の要所に埋込配設されるＬＡＮコンセント１６１〜１６３及び電話コンセント１９１，１９２に接続するようにしているから、異なる種類のＶｏＩＰターミナルアダプタ２２やＡＤＳＬモデム７にも容易に対応することができるとともにスプリッタ６やＡＤＳＬモデム７並びにＶｏＩＰターミナルアダプタ２２が簡単に交換できる。
【００４３】
（実施形態４）
本実施形態もインターネット接続サービスとしてＡＤＳＬを利用するものであって、その概略構成を図５に示す。但し、実施形態１と共通の構成要素には同一の符号を付して説明を省略する。
【００４４】
本実施形態が実施形態１と異なる点は、図５に示すようにスプリッタ６、ＡＤＳＬモデム７、ルータ１２並びにＶｏＩＰターミナルアダプタ２２を情報盤１に収容せずに宅内の要所に埋込配設されるＬＡＮコンセント１６１〜１６３及び電話コンセント１９１，１９２に接続する構成とした点にある。すなわち、スプリッタ６は電話コンセント１９１を介して加入者線３と接続され、ＡＤＳＬモデム７はスプリッタ６に直接接続されるとともにルータ１２と直接接続され、ルータ１２はＬＡＮコンセント１６１からＬＡＮ端子台２０を介してハブ１３に接続される。また、ＶｏＩＰターミナルアダプタ２２はスプリッタ６に直接接続されるとともに電話コンセント１９２から情報盤１の分岐端子台２１を介して電話機１８が接続された電話コンセント１９３に接続され、さらにＬＡＮコンセント１６２からＬＡＮ端子台２０を介してルータ１２に接続される。
【００４５】
上述のように本実施形態では、スプリッタ６、ＡＤＳＬモデム７、ルータ１２並びにＶｏＩＰターミナルアダプタ２２を情報盤１に収容せずに宅内の要所に埋込配設されるＬＡＮコンセント１６１〜１６３及び電話コンセント１９１，１９２に接続するようにしているから、異なる種類のＶｏＩＰターミナルアダプタ２２やＡＤＳＬモデム７にも容易に対応することができるとともにスプリッタ６やＡＤＳＬモデム７、ルータ１２並びにＶｏＩＰターミナルアダプタ２２が簡単に交換できる。
【００４６】
（実施形態５）
本実施形態はインターネット接続サービスとしてケーブルテレビを利用するものであって、その概略構成を図６に示す。但し、従来例及び実施形態１と共通の構成要素には同一の符号を付して説明を省略する。図６に示すように、情報盤１の内部にはブースタ３１、ケーブルモデム３２、ルータ１２、ハブ１３、ＬＡＮ端子台２０、分岐端子台２１及びＶｏＩＰターミナルアダプタ２２が収容される。また、ハブ１３にはＬＡＮ端子台２０を介してＬＡＮコンセント１６が接続され、ＶｏＩＰターミナルアダプタ２２には分岐端子台２１を介して電話コンセント１９が接続される。
【００４７】
而して、ケーブルテレビによるインターネット接続サービスを利用する場合においても、実施形態１のＡＤＳＬの場合と同様に、電話機１８からＶｏＩＰターミナルアダプタ２２を介してＩＰネットワークを経由した通話が可能であり、また、図２０に示した従来システムに対してＶｏＩＰターミナルアダプタ２２を追加するだけでよいから、システムの変更が非常に簡単に行えるという利点もある。
【００４８】
（実施形態６）
本実施形態もインターネット接続サービスとしてケーブルテレビを利用するものであって、その概略構成を図７に示す。但し、実施形態５と共通の構成要素には同一の符号を付して説明を省略する。
【００４９】
本実施形態が実施形態５と異なる点は、図７に示すようにＶｏＩＰターミナルアダプタ２２を情報盤１に収容せずに宅内の要所に埋込配設されるＬＡＮコンセント１６１及び電話コンセント１９１，１９２に接続する構成とした点にある。すなわち、ＶｏＩＰターミナルアダプタ２２は電話コンセント１９１を介してスプリッタ６に接続され、別の電話コンセント１９２から情報盤１の分岐端子台２１を介して電話機１８が接続された電話コンセント１９３に接続されるとともに、ＬＡＮコンセント１６１からＬＡＮ端子台２０を介してハブ１３に接続される。
【００５０】
上述のように本実施形態では、ＶｏＩＰターミナルアダプタ２２を情報盤１に収容せずにＬＡＮコンセント１６１及び電話コンセント１９１，１９２に外付けで接続するようにしているから、異なる種類のＶｏＩＰターミナルアダプタ２２にも容易に対応することができ、例えば、インターネット電話サービスを提供する事業者毎にＶｏＩＰターミナルアダプタが異なる場合にも最適なＶｏＩＰターミナルアダプタ２２を選択することが可能である。
【００５１】
（実施形態７）
本実施形態もインターネット接続サービスとしてケーブルテレビを利用するものであって、その概略構成を図８に示す。但し、実施形態５と共通の構成要素には同一の符号を付して説明を省略する。
【００５２】
本実施形態が実施形態５と異なる点は、図８に示すようにケーブルモデム３２並びにＶｏＩＰターミナルアダプタ２２を情報盤１に収容せずに宅内の要所に埋込配設されるＬＡＮコンセント１６１，１６２及び電話コンセント１９１，１９２に接続する構成とした点にある。すなわち、ケーブルモデム３２はＬＡＮコンセント１６１を介してルータ１２と接続される。また、ＶｏＩＰターミナルアダプタ２２は電話コンセント１９１を介して加入者線３と接続され、電話コンセント１９２から情報盤１の分岐端子台２１を介して電話機１８が接続された電話コンセント１９３に接続され、さらにＬＡＮコンセント１６２からＬＡＮ端子台２０を介してハブ１３に接続される。
【００５３】
上述のように本実施形態では、ケーブルモデム３２並びにＶｏＩＰターミナルアダプタ２２を情報盤１に収容せずに宅内の要所に埋込配設されるＬＡＮコンセント１６１，１６２及び電話コンセント１９１，１９２に接続するようにしているから、異なる種類のＶｏＩＰターミナルアダプタ２２やケーブルモデム３２にも容易に対応することができるとともにケーブルモデム３２並びにＶｏＩＰターミナルアダプタ２２が簡単に交換できる。なお、図９に示すようにケーブルモデム３２のみを情報盤１に収容せずに宅内の要所に埋込配設されるＬＡＮコンセント１６１に接続する構成としてもよい。
【００５４】
（実施形態８）
本実施形態もインターネット接続サービスとしてケーブルテレビを利用するものであって、その概略構成を図１０に示す。但し、実施形態５と共通の構成要素には同一の符号を付して説明を省略する。
【００５５】
本実施形態が実施形態５と異なる点は、図１０に示すようにケーブルモデム３２、ルータ１２並びにＶｏＩＰターミナルアダプタ２２を情報盤１に収容せずに宅内の要所に埋込配設されるＬＡＮコンセント１６１，１６２及び電話コンセント１９１，１９２に接続する構成とした点にある。すなわち、ケーブルモデム３２はルータ１２と直接接続され、ルータ１２はＬＡＮコンセント１６１からＬＡＮ端子台２０を介してハブ１３に接続される。また、ＶｏＩＰターミナルアダプタ２２は電話コンセント１９１を介して加入者線３と接続され、電話コンセント１９２から情報盤１の分岐端子台２１を介して電話機１８が接続された電話コンセント１９３に接続され、さらにＬＡＮコンセント１６２からＬＡＮ端子台２０を介してルータ１２が接続されたＬＡＮコンセント１６１に接続される。
【００５６】
上述のように本実施形態では、ケーブルモデム３２、ルータ１２並びにＶｏＩＰターミナルアダプタ２２を情報盤１に収容せずに宅内の要所に埋込配設されるＬＡＮコンセント１６１，１６２及び電話コンセント１９１，１９２に接続するようにしているから、異なる種類のＶｏＩＰターミナルアダプタ２２やケーブルモデム３２にも容易に対応することができるとともにケーブルモデム３２、ルータ１２並びにＶｏＩＰターミナルアダプタ２２が簡単に交換できる。
【００５７】
（実施形態９）
本実施形態はインターネット接続サービスとして光ファイバ３４を利用するものであって、その概略構成を図１１に示す。但し、従来例及び実施形態１と共通の構成要素には同一の符号を付して説明を省略する。図１１に示すように、情報盤１の内部には光ネットワークユニット３３、ルータ１２、ハブ１３、ＬＡＮ端子台２０、分岐端子台２１及びＶｏＩＰターミナルアダプタ２２が収容される。また、ハブ１３にはＬＡＮ端子台２０を介してＬＡＮコンセント１６が接続され、ＶｏＩＰターミナルアダプタ２２には分岐端子台２１を介して電話コンセント１９が接続される。
【００５８】
而して、光ファイバ３４によるインターネット接続サービスを利用する場合においても、実施形態１のＡＤＳＬや実施形態５のケーブルテレビの場合と同様に、電話機１８からＶｏＩＰターミナルアダプタ２２を介してＩＰネットワークを経由した通話が可能であり、また、図２１に示した従来システムに対してＶｏＩＰターミナルアダプタ２２を追加するだけでよいから、システムの変更が非常に簡単に行えるという利点もある。
【００５９】
（実施形態１０）
本実施形態もインターネット接続サービスとして光ファイバ３４を利用するものであって、その概略構成を図１２に示す。但し、実施形態９と共通の構成要素には同一の符号を付して説明を省略する。
【００６０】
本実施形態が実施形態９と異なる点は、図１２に示すようにＶｏＩＰターミナルアダプタ２２を情報盤１に収容せずに宅内の要所に埋込配設されるＬＡＮコンセント１６１及び電話コンセント１９１，１９２に接続する構成とした点にある。すなわち、ＶｏＩＰターミナルアダプタ２２は電話コンセント１９１を介して加入者線３と接続され、別の電話コンセント１９２から情報盤１の分岐端子台２１を介して電話機１８が接続された電話コンセント１９３に接続されるとともに、ＬＡＮコンセント１６１からＬＡＮ端子台２０を介してハブ１３に接続される。
【００６１】
上述のように本実施形態では、ＶｏＩＰターミナルアダプタ２２を情報盤１に収容せずにＬＡＮコンセント１６１及び電話コンセント１９１，１９２に外付けで接続するようにしているから、異なる種類のＶｏＩＰターミナルアダプタ２２にも容易に対応することができ、例えば、インターネット電話サービスを提供する事業者毎にＶｏＩＰターミナルアダプタが異なる場合にも最適なＶｏＩＰターミナルアダプタ２２を選択することが可能である。
【００６２】
（実施形態１１）
本実施形態もインターネット接続サービスとして光ファイバ３４を利用するものであって、その概略構成を図１３に示す。但し、実施形態９と共通の構成要素には同一の符号を付して説明を省略する。
【００６３】
本実施形態が実施形態９と異なる点は、図１３に示すように光ネットワークユニット３３並びにＶｏＩＰターミナルアダプタ２２を情報盤１に収容せずに宅内の要所に埋込配設されるＬＡＮコンセント１６１，１６２及び電話コンセント１９１，１９２に接続する構成とした点にある。すなわち、光ネットワークユニット３３はＬＡＮコンセント１６１を介してルータ１２と接続される。また、ＶｏＩＰターミナルアダプタ２２は電話コンセント１９１を介して加入者線３と接続され、電話コンセント１９２から情報盤１の分岐端子台２１を介して電話機１８が接続された電話コンセント１９３に接続され、さらにＬＡＮコンセント１６２からＬＡＮ端子台２０を介してハブ１３に接続される。
【００６４】
上述のように本実施形態では、光ネットワークユニット３３並びにＶｏＩＰターミナルアダプタ２２を情報盤１に収容せずに宅内の要所に埋込配設されるＬＡＮコンセント１６１，１６２及び電話コンセント１９１，１９２に接続するようにしているから、異なる種類のＶｏＩＰターミナルアダプタ２２や光ネットワークユニット３３にも容易に対応することができるとともに光ネットワークユニット３３並びにＶｏＩＰターミナルアダプタ２２が簡単に交換できる。
【００６５】
（実施形態１２）
本実施形態もインターネット接続サービスとして光ファイバ３４を利用するものであって、その概略構成を図１４に示す。但し、実施形態９と共通の構成要素には同一の符号を付して説明を省略する。
【００６６】
本実施形態が実施形態９と異なる点は、図１４に示すように光ネットワークユニット３３、ルータ１２並びにＶｏＩＰターミナルアダプタ２２を情報盤１に収容せずに宅内の要所に埋込配設されるＬＡＮコンセント１６１，１６２及び電話コンセント１９１，１９２に接続する構成とした点にある。すなわち、光ネットワークユニット３３はルータ１２と直接接続され、ルータ１２はＬＡＮコンセント１６１からＬＡＮ端子台２０を介してハブ１３に接続される。また、ＶｏＩＰターミナルアダプタ２２は電話コンセント１９１を介して加入者線３と接続され、電話コンセント１９２から情報盤１の分岐端子台２１を介して電話機１８が接続された電話コンセント１９３に接続され、さらにＬＡＮコンセント１６２からＬＡＮ端子台２０を介してルータ１２が接続されたＬＡＮコンセント１６１に接続される。
【００６７】
上述のように本実施形態では、光ネットワークユニット３３、ルータ１２並びにＶｏＩＰターミナルアダプタ２２を情報盤１に収容せずに宅内の要所に埋込配設されるＬＡＮコンセント１６１，１６２及び電話コンセント１９１，１９２に接続するようにしているから、異なる種類のＶｏＩＰターミナルアダプタ２２や光ネットワークユニット３３にも容易に対応することができるとともに光ネットワークユニット３３、ルータ１２並びにＶｏＩＰターミナルアダプタ２２が簡単に交換できる。
【００６８】
（実施形態１３）
本実施形態はインターネット接続サービスとしてＩＳＤＮを利用するものであって、その概略構成を図１５に示す。但し、従来例及び実施形態１と共通の構成要素には同一の符号を付して説明を省略する。図１５に示すように、情報盤１の内部にはＤＳＵ内蔵型のＩＳＤＮターミナルアダプタ３５、ルータ１２、ハブ１３、ＬＡＮ端子台２０、分岐端子台２１及びＶｏＩＰターミナルアダプタ２２が収容される。また、ハブ１３にはＬＡＮ端子台２０を介してＬＡＮコンセント１６が接続され、ＶｏＩＰターミナルアダプタ２２には分岐端子台２１を介して電話コンセント１９が接続される。なお、ルータ１２はＩＳＤＮターミナルアダプタ３５のＳ／Ｔ点に接続される。但し、ＩＳＤＮターミナルアダプタにルータの機能を付加した所謂ＩＳＤＮルータをＩＳＤＮターミナルアダプタ３５及びルータ１２の代わりに用いても構わない。
【００６９】
而して、ＩＳＤＮによるインターネット接続サービスを利用する場合においても、実施形態１のＡＤＳＬや実施形態５のケーブルテレビあるいは実施形態９の光ファイバの場合と同様に、電話機１８からＶｏＩＰターミナルアダプタ２２を介してＩＰネットワークを経由した通話が可能であり、また、図２２に示した従来システムに対してＶｏＩＰターミナルアダプタ２２を追加するだけでよいから、システムの変更が非常に簡単に行えるという利点もある。
【００７０】
（実施形態１４）
本実施形態もインターネット接続サービスとしてＩＳＤＮを利用するものであって、その概略構成を図１６に示す。但し、実施形態１３と共通の構成要素には同一の符号を付して説明を省略する。
【００７１】
本実施形態が実施形態１３と異なる点は、図１６に示すようにＶｏＩＰターミナルアダプタ２２を情報盤１に収容せずに宅内の要所に埋込配設されるＬＡＮコンセント１６１及び電話コンセント１９１，１９２に接続する構成とした点にある。すなわち、ＶｏＩＰターミナルアダプタ２２は電話コンセント１９１を介してＩＳＤＮターミナルアダプタ３５のアナログポートに接続され、別の電話コンセント１９２から情報盤１の分岐端子台２１を介して電話機１８が接続された電話コンセント１９３に接続されるとともに、ＬＡＮコンセント１６１からＬＡＮ端子台２０を介してハブ１３に接続される。
【００７２】
上述のように本実施形態では、ＶｏＩＰターミナルアダプタ２２を情報盤１に収容せずにＬＡＮコンセント１６１及び電話コンセント１９１，１９２に外付けで接続するようにしているから、異なる種類のＶｏＩＰターミナルアダプタ２２にも容易に対応することができ、例えば、インターネット電話サービスを提供する事業者毎にＶｏＩＰターミナルアダプタが異なる場合にも最適なＶｏＩＰターミナルアダプタ２２を選択することが可能である。
【００７３】
（実施形態１５）
本実施形態もインターネット接続サービスとしてＩＳＤＮを利用するものであって、その概略構成を図１７に示す。但し、実施形態１３と共通の構成要素には同一の符号を付して説明を省略する。
【００７４】
本実施形態が実施形態１３と異なる点は、図１７に示すようにＩＳＤＮターミナルアダプタ３５並びにＶｏＩＰターミナルアダプタ２２を情報盤１に収容せずに宅内の要所に埋込配設されるＬＡＮコンセント１６１，１６２及び電話コンセント１９１，１９２に接続する構成とした点にある。すなわち、ＩＳＤＮターミナルアダプタ３５はＬＡＮコンセント１６１を介してルータ１２と接続されるとともに、電話コンセント１９１を介してＩＳＤＮの加入者線３と接続される。また、ＶｏＩＰターミナルアダプタ２２はＩＳＤＮターミナルアダプタ３５のアナログポートに接続され、電話コンセント１９２を介して加入者線３と接続されるとともに、ＬＡＮコンセント１６２からＬＡＮ端子台２０を介してハブ１３に接続される。
【００７５】
上述のように本実施形態では、ＩＳＤＮターミナルアダプタ３５並びにＶｏＩＰターミナルアダプタ２２を情報盤１に収容せずに宅内の要所に埋込配設されるＬＡＮコンセント１６１，１６２及び電話コンセント１９１，１９２に接続するようにしているから、異なる種類のＶｏＩＰターミナルアダプタ２２やＩＳＤＮターミナルアダプタ３５にも容易に対応することができるとともにＩＳＤＮターミナルアダプタ３５並びにＶｏＩＰターミナルアダプタ２２が簡単に交換できる。
【００７６】
（実施形態１６）
本実施形態もインターネット接続サービスとしてＩＳＤＮを利用するものであって、その概略構成を図１８に示す。但し、実施形態１３と共通の構成要素には同一の符号を付して説明を省略する。
【００７７】
本実施形態が実施形態１３と異なる点は、図１８に示すようにＩＳＤＮターミナルアダプタ３５、ルータ１２並びにＶｏＩＰターミナルアダプタ２２を情報盤１に収容せずに宅内の要所に埋込配設されるＬＡＮコンセント１６１，１６２及び電話コンセント１９１，１９２に接続する構成とした点にある。すなわち、ＩＳＤＮターミナルアダプタ３５はルータ１２と直接接続され、ルータ１２はＬＡＮコンセント１６１からＬＡＮ端子台２０を介してハブ１３に接続される。また、ＶｏＩＰターミナルアダプタ２２はＩＳＤＮターミナルアダプタ３５のアナログポートに直接接続され、電話コンセント１９２から情報盤１の分岐端子台２１を介して電話機１８が接続された電話コンセント１９３に接続されるとともに、ＬＡＮコンセント１６２からＬＡＮ端子台２０を介してルータ１２が接続されたＬＡＮコンセント１６１に接続される。
【００７８】
上述のように本実施形態では、ＩＳＤＮターミナルアダプタ３５、ルータ１２並びにＶｏＩＰターミナルアダプタ２２を情報盤１に収容せずに宅内の要所に埋込配設されるＬＡＮコンセント１６１，１６２及び電話コンセント１９１，１９２に接続するようにしているから、異なる種類のＶｏＩＰターミナルアダプタ２２やＩＳＤＮターミナルアダプタ３５にも容易に対応することができるとともにＩＳＤＮターミナルアダプタ３５、ルータ１２並びにＶｏＩＰターミナルアダプタ２２が簡単に交換できる。
【００７９】
【発明の効果】
請求項１の発明は、宅内に設置され公衆電話回線網の加入者線が引き込まれる情報盤と、前記加入者線に接続されて電話信号とｘＤＳＬ信号を分離するスプリッタと、前記スプリッタで分離されたｘＤＳＬ信号をデジタル信号に復調するとともにデジタル信号をｘＤＳＬ信号に変調するｘＤＳＬモデムと、ＬＡＮの複数の伝送路を集線する機能並びにルーティング機能の少なくとも何れか一方を有して前記ｘＤＳＬモデムと接続される１乃至複数のネットワーク機器と、電話機から入力する電話信号をＩＰパケット化して前記ネットワーク機器に出力する処理と前記電話機から入力する電話信号を前記スプリッタに出力する処理を前記電話機から入力する番号に応じて選択的に実行するとともに前記スプリッタから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記スプリッタ、ｘＤＳＬモデム、ネットワーク機器並びにネットワーク通話装置を前記情報盤に収容したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。
【００８０】
請求項２の発明は、宅内に設置され公衆電話回線網の加入者線が引き込まれる情報盤と、前記加入者線に接続されて電話信号とｘＤＳＬ信号を分離するスプリッタと、前記スプリッタで分離されたｘＤＳＬ信号をデジタル信号に復調するとともにデジタル信号をｘＤＳＬ信号に変調するｘＤＳＬモデムと、ＬＡＮの複数の伝送路を集線する機能並びにルーティング機能の少なくとも何れか一方を有して前記ｘＤＳＬモデムと接続される１乃至複数のネットワーク機器と、電話機から入力する電話信号をＩＰパケット化して前記ネットワーク機器に出力する処理と前記電話機から入力する電話信号を前記スプリッタに出力する処理を前記電話機から入力する番号に応じて選択的に実行するとともに前記スプリッタから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記スプリッタ、ｘＤＳＬモデム並びにネットワーク機器を前記情報盤に収容するとともに前記ネットワーク通話装置を前記ＬＡＮコンセント及び電話コンセントに接続したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。さらに、ネットワーク通話装置を情報盤に収容せずにＬＡＮコンセント及び電話コンセントに外付けで接続するようにしているから、異なる種類のネットワーク通話装置にも容易に対応することができる。
【００８１】
請求項３の発明は、宅内に設置され公衆電話回線網の加入者線が引き込まれる情報盤と、前記加入者線に接続されて電話信号とｘＤＳＬ信号を分離するスプリッタと、前記スプリッタで分離されたｘＤＳＬ信号をデジタル信号に復調するとともにデジタル信号をｘＤＳＬ信号に変調するｘＤＳＬモデムと、ＬＡＮの複数の伝送路を集線する機能並びにルーティング機能の少なくとも何れか一方を有して前記ｘＤＳＬモデムと接続される１乃至複数のネットワーク機器と、電話機から入力する電話信号をＩＰパケット化して前記ネットワーク機器に出力する処理と前記電話機から入力する電話信号を前記スプリッタに出力する処理を前記電話機から入力する番号に応じて選択的に実行するとともに前記スプリッタから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ネットワーク機器を前記情報盤に収容し、前記ネットワーク通話装置を前記ＬＡＮコンセント及び電話コンセントに接続し、前記スプリッタを前記電話コンセントに接続するとともに前記ｘＤＳＬモデムを前記ＬＡＮコンセントに接続したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。さらに、ネットワーク通話装置、スプリッタ及びｘＤＳＬモデムを情報盤に収容せずにＬＡＮコンセント及び電話コンセントに外付けで接続するようにしているから、異なる種類のネットワーク通話装置やｘＤＳＬモデムにも容易に対応することができるとともにスプリッタやｘＤＳＬモデム並びにネットワーク通話装置が簡単に交換できる。
【００８２】
請求項４の発明は、宅内に設置され公衆電話回線網の加入者線が引き込まれる情報盤と、前記加入者線に接続されて電話信号とｘＤＳＬ信号を分離するスプリッタと、前記スプリッタで分離されたｘＤＳＬ信号をデジタル信号に復調するとともにデジタル信号をｘＤＳＬ信号に変調するｘＤＳＬモデムと、前記ｘＤＳＬモデムと接続されるルータと、ＬＡＮの複数の伝送路を集線して前記ルータに接続するハブと、電話機から入力する電話信号をＩＰパケット化して前記ハブに出力する処理と前記電話機から入力する電話信号を前記スプリッタに出力する処理を前記電話機から入力する番号に応じて選択的に実行するとともに前記スプリッタから入力する電話信号を前記電話機に出力する処理並びに前記ハブから入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ハブを前記情報盤に収容し、前記ネットワーク通話装置を前記ＬＡＮコンセント及び電話コンセントに接続し、前記スプリッタを前記電話コンセントに接続するとともに前記ｘＤＳＬモデム並びにルータを前記ＬＡＮコンセントに接続したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。さらに、ネットワーク通話装置、スプリッタ、ｘＤＳＬモデム及びルータを情報盤に収容せずにＬＡＮコンセント及び電話コンセントに外付けで接続するようにしているから、異なる種類のネットワーク通話装置やｘＤＳＬモデムにも容易に対応することができるとともにスプリッタやｘＤＳＬモデム、ルータ並びにネットワーク通話装置が簡単に交換できる。
【００８３】
請求項５の発明は、宅内に設置され公衆電話回線網の加入者線並びにケーブルテレビの伝送線が引き込まれる情報盤と、前記伝送線に接続されてデータ通信用のアナログ信号をデジタル信号に復調するとともにデジタル信号を前記アナログ信号に変調するケーブルモデムと、ＬＡＮの複数の伝送路を集線する機能並びにルーティング機能の少なくとも何れか一方を有して前記ケーブルモデムと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ケーブルモデム、ネットワーク機器並びにネットワーク通話装置を前記情報盤に収容したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。
【００８４】
請求項６の発明は、宅内に設置され公衆電話回線網の加入者線並びにケーブルテレビの伝送線が引き込まれる情報盤と、前記伝送線に接続されてデータ通信用のアナログ信号をデジタル信号に復調するとともにデジタル信号を前記アナログ信号に変調するケーブルモデムと、ＬＡＮの複数の伝送路を集線する機能並びにルーティング機能の少なくとも何れか一方を有して前記ケーブルモデムと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ケーブルモデム並びにネットワーク機器を前記情報盤に収容するとともに前記ネットワーク通話装置を前記ＬＡＮコンセント及び電話コンセントに接続したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。さらに、ネットワーク通話装置を情報盤に収容せずにＬＡＮコンセント及び電話コンセントに外付けで接続するようにしているから、異なる種類のネットワーク通話装置にも容易に対応することができる。
【００８５】
請求項７の発明は、宅内に設置され公衆電話回線網の加入者線並びにケーブルテレビの伝送線が引き込まれる情報盤と、前記伝送線に接続されてデータ通信用のアナログ信号をデジタル信号に復調するとともにデジタル信号を前記アナログ信号に変調するケーブルモデムと、ＬＡＮの複数の伝送路を集線する機能並びにルーティング機能の少なくとも何れか一方を有して前記ケーブルモデムと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ネットワーク機器を前記情報盤に収容し、前記ネットワーク通話装置を前記ＬＡＮコンセント及び電話コンセントに接続するとともに前記ケーブルモデムを前記ＬＡＮコンセントに接続したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。さらに、ネットワーク通話装置、ケーブルモデムを情報盤に収容せずにＬＡＮコンセント及び電話コンセントに外付けで接続するようにしているから、異なる種類のネットワーク通話装置やケーブルモデムにも容易に対応することができるとともにケーブルモデム並びにネットワーク通話装置が簡単に交換できる。
【００８６】
請求項８の発明は、宅内に設置され公衆電話回線網の加入者線並びにケーブルテレビの伝送線が引き込まれる情報盤と、前記伝送線に接続されてデータ通信用のアナログ信号をデジタル信号に復調するとともにデジタル信号を前記アナログ信号に変調するケーブルモデムと、前記ケーブルモデムと接続されるルータと、ＬＡＮの複数の伝送路を集線して前記ルータに接続するハブと、電話機から入力する電話信号をＩＰパケット化して前記ハブに出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ハブから入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ハブを前記情報盤に収容し、前記ネットワーク通話装置を前記ＬＡＮコンセント及び電話コンセントに接続するとともに前記ケーブルモデム並びにルータを前記ＬＡＮコンセントに接続したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。さらに、ネットワーク通話装置、ケーブルモデム並びにルータを情報盤に収容せずにＬＡＮコンセント及び電話コンセントに外付けで接続するようにしているから、異なる種類のネットワーク通話装置やケーブルモデムにも容易に対応することができるとともにケーブルモデム、ルータ並びにネットワーク通話装置が簡単に交換できる。
【００８７】
請求項９の発明は、宅内に設置され公衆電話回線網の加入者線並びにインターネットに接続するための光ファイバが引き込まれる情報盤と、前記光ファイバに接続されて光信号とデジタルの電気信号を相互に変換する光ネットワークユニットと、ＬＡＮの複数の伝送路を集線する機能並びにルーティング機能の少なくとも何れか一方を有して前記光ネットワークユニットと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記光ネットワークユニット、ネットワーク機器並びにネットワーク通話装置を前記情報盤に収容したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。
【００８８】
請求項１０の発明は、宅内に設置され公衆電話回線網の加入者線並びにインターネットに接続するための光ファイバが引き込まれる情報盤と、前記光ファイバに接続されて光信号とデジタルの電気信号を相互に変換する光ネットワークユニットと、ＬＡＮの複数の伝送路を集線する機能並びにルーティング機能の少なくとも何れか一方を有して前記光ネットワークユニットと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記光ネットワークユニット並びにネットワーク機器を前記情報盤に収容するとともに前記ネットワーク通話装置を前記ＬＡＮコンセント及び電話コンセントに接続したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。さらに、ネットワーク通話装置を情報盤に収容せずにＬＡＮコンセント及び電話コンセントに外付けで接続するようにしているから、異なる種類のネットワーク通話装置にも容易に対応することができる。
【００８９】
請求項１１の発明は、宅内に設置され公衆電話回線網の加入者線並びにインターネットに接続するための光ファイバが引き込まれる情報盤と、前記光ファイバに接続されて光信号とデジタルの電気信号を相互に変換する光ネットワークユニットと、ＬＡＮの複数の伝送路を集線する機能並びにルーティング機能の少なくとも何れか一方を有して前記光ネットワークユニットと接続される１乃至複数のネットワーク機器と、電話機から入力する電話信号をＩＰパケット化して前記ネットワーク機器に出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ネットワーク機器を前記情報盤に収容し、前記ネットワーク通話装置を前記ＬＡＮコンセント及び電話コンセントに接続するとともに前記光ネットワークユニットを前記ＬＡＮコンセントに接続したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。さらに、ネットワーク通話装置、光ネットワークユニットを情報盤に収容せずにＬＡＮコンセント及び電話コンセントに外付けで接続するようにしているから、異なる種類のネットワーク通話装置や光ネットワークユニットにも容易に対応することができるとともに光ネットワークユニット並びにネットワーク通話装置が簡単に交換できる。
【００９０】
請求項１２の発明は、宅内に設置され公衆電話回線網の加入者線並びにインターネットに接続するための光ファイバが引き込まれる情報盤と、前記光ファイバに接続されて光信号とデジタルの電気信号を相互に変換する光ネットワークユニットと、前記光ネットワークユニットと接続されるルータと、ＬＡＮの複数の伝送路を集線して前記ルータに接続するハブと、電話機から入力する電話信号をＩＰパケット化して前記ハブに出力する処理と前記電話機から入力する電話信号を前記加入者線に出力する処理を前記電話機から入力する番号に応じて選択的に実行するとともに前記加入者線から入力する電話信号を前記電話機に出力する処理並びに前記ハブから入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ハブを前記情報盤に収容し、前記ネットワーク通話装置を前記ＬＡＮコンセント及び電話コンセントに接続するとともに前記光ネットワークユニット並びにルータを前記ＬＡＮコンセントに接続したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。さらに、ネットワーク通話装置、光ネットワークユニット並びにルータを情報盤に収容せずにＬＡＮコンセント及び電話コンセントに外付けで接続するようにしているから、異なる種類のネットワーク通話装置や光ネットワークユニットにも容易に対応することができるとともに光ネットワークユニット、ルータ並びにネットワーク通話装置が簡単に交換できる。
【００９１】
請求項１３の発明は、宅内に設置されＩＳＤＮの加入者線が引き込まれる情報盤と、前記加入者線に接続される回線終端装置と、ＬＡＮ用のインタフェース及び電話機用のアナログインタフェースを有し前記回線終端装置に接続されるＩＳＤＮターミナルアダプタと、ＬＡＮの複数の伝送路を集線する機能並びにルーティング機能の少なくとも何れか一方とＷＡＮ用のインタフェースを有し前記ＩＳＤＮターミナルアダプタのＬＡＮ用のインタフェースに接続される１乃至複数のネットワーク機器と、電話機から入力する電話信号をＩＰパケット化して前記ネットワーク機器に出力する処理と前記電話機から入力する電話信号を前記ＩＳＤＮターミナルアダプタのアナログインタフェースに出力する処理を前記電話機から入力する番号に応じて選択的に実行するとともに前記ＩＳＤＮターミナルアダプタのアナログインタフェースから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記回線終端装置、ＩＳＤＮターミナルアダプタ、ネットワーク機器並びにネットワーク通話装置を前記情報盤に収容したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。
【００９２】
請求項１４の発明は、宅内に設置されＩＳＤＮの加入者線が引き込まれる情報盤と、前記加入者線に接続される回線終端装置と、ＬＡＮ用のインタフェース及び電話機用のアナログインタフェースを有し前記回線終端装置に接続されるＩＳＤＮターミナルアダプタと、ＬＡＮの複数の伝送路を集線する機能並びにルーティング機能の少なくとも何れか一方とＷＡＮ用のインタフェースを有し前記ＩＳＤＮターミナルアダプタのＬＡＮ用のインタフェースに接続される１乃至複数のネットワーク機器と、電話機から入力する電話信号をＩＰパケット化して前記ネットワーク機器に出力する処理と前記電話機から入力する電話信号を前記ＩＳＤＮターミナルアダプタのアナログインタフェースに出力する処理を前記電話機から入力する番号に応じて選択的に実行するとともに前記ＩＳＤＮターミナルアダプタのアナログインタフェースから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記回線終端装置、ＩＳＤＮターミナルアダプタ並びにネットワーク機器を前記情報盤に収容するとともに前記ネットワーク通話装置を前記ＬＡＮコンセント及び電話コンセントに接続したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。さらに、ネットワーク通話装置を情報盤に収容せずにＬＡＮコンセント及び電話コンセントに外付けで接続するようにしているから、異なる種類のネットワーク通話装置にも容易に対応することができる。
【００９３】
請求項１５の発明は、宅内に設置されＩＳＤＮの加入者線が引き込まれる情報盤と、前記加入者線に接続される回線終端装置と、ＬＡＮ用のインタフェース及び電話機用のアナログインタフェースを有し前記回線終端装置に接続されるＩＳＤＮターミナルアダプタと、ＬＡＮの複数の伝送路を集線する機能並びにルーティング機能の少なくとも何れか一方とＷＡＮ用のインタフェースを有し前記ＩＳＤＮターミナルアダプタのＬＡＮ用のインタフェースに接続される１乃至複数のネットワーク機器と、電話機から入力する電話信号をＩＰパケット化して前記ネットワーク機器に出力する処理と前記電話機から入力する電話信号を前記ＩＳＤＮターミナルアダプタのアナログインタフェースに出力する処理を前記電話機から入力する番号に応じて選択的に実行するとともに前記ＩＳＤＮターミナルアダプタのアナログインタフェースから入力する電話信号を前記電話機に出力する処理並びに前記ネットワーク機器から入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ネットワーク機器を前記情報盤に収容し、前記ネットワーク通話装置を前記ＬＡＮコンセント及び電話コンセントに接続し、前記回線終端装置を前記電話コンセントに接続するとともに前記ＩＳＤＮターミナルアダプタのＬＡＮ用のインタフェースを前記ＬＡＮコンセントに接続し且つ電話機用のアナログインタフェースを前記電話コンセントに接続したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。さらに、ネットワーク通話装置、回線終端装置並びにＩＳＤＮターミナルアダプタを情報盤に収容せずにＬＡＮコンセント及び電話コンセントに外付けで接続するようにしているから、異なる種類のネットワーク通話装置やＩＳＤＮターミナルアダプタにも容易に対応することができるとともに回線終端装置やＩＳＤＮターミナルアダプタ並びにネットワーク通話装置が簡単に交換できる。
【００９４】
請求項１６の発明は、宅内に設置されＩＳＤＮの加入者線が引き込まれる情報盤と、前記加入者線に接続される回線終端装置と、ＬＡＮ用のインタフェース及び電話機用のアナログインタフェースを有し前記回線終端装置に接続されるＩＳＤＮターミナルアダプタと、前記ＩＳＤＮターミナルアダプタのＬＡＮ用のインタフェースに接続されるルータと、ＬＡＮの複数の伝送路を集線して前記ルータに接続するハブと、電話機から入力する電話信号をＩＰパケット化して前記ハブに出力する処理と前記電話機から入力する電話信号を前記ＩＳＤＮターミナルアダプタのアナログインタフェースに出力する処理を前記電話機から入力する番号に応じて選択的に実行するとともに前記ＩＳＤＮターミナルアダプタのアナログインタフェースから入力する電話信号を前記電話機に出力する処理並びに前記ハブから入力するＩＰパケットを電話信号に変換して前記電話機に出力する処理を実行するネットワーク通話装置と、宅内に先行配線される前記伝送路をＬＡＮの端末と接続するためのＬＡＮコンセントと、宅内に先行配線される電話信号用の通話路を前記電話機に接続するための電話コンセントとを備え、前記ハブを前記情報盤に収容し、前記ネットワーク通話装置を前記ＬＡＮコンセント及び電話コンセントに接続し、前記ルータを前記ＬＡＮコンセントに接続し、前記回線終端装置を前記電話コンセントに接続するとともに前記ＩＳＤＮターミナルアダプタのＬＡＮ用のインタフェースを前記ルータに接続し且つ電話機用のアナログインタフェースを前記電話コンセントに接続したことを特徴とし、ネットワーク通話装置により一般の電話機からＩＰネットワークを経由して通話することができ、しかも、ネットワーク通話装置をＩＰネットワークや電話機に接続するための配線を先行配線しているので新たな配線工事を行う必要がない。さらに、ネットワーク通話装置、回線終端装置、ＩＳＤＮターミナルアダプタ並びにルータを情報盤に収容せずにＬＡＮコンセント及び電話コンセントに外付けで接続するようにしているから、異なる種類のネットワーク通話装置やＩＳＤＮターミナルアダプタにも容易に対応することができるとともに回線終端装置やＩＳＤＮターミナルアダプタ、ルータ並びにネットワーク通話装置が簡単に交換できる。
【００９５】
請求項１７の発明は、請求項１〜１６の何れかの発明において、前記ネットワーク通話装置は、ＤＴＭＦ信号により前記電話機から入力される番号が特定の番号か否かを識別し特定番号の場合には電話機から入力する電話信号を前記加入者線に出力する処理を行うとともに前記加入者線から入力する電話信号を前記電話機に出力する処理を行う番号識別部と、前記特定番号でない場合に電話機から入力するアナログの電話信号をデジタル信号に変換するコード部と、前記コード部で変換されたデジタル信号をＩＰパケット化するＩＰパケット化部と、前記ハブから入力するＩＰパケットから元のデジタル信号を復元するＩＰパケット復元部と、復元されたデジタル信号をアナログの電話信号に変換するデコード部とを具備することを特徴とし、例えば、警察や消防などへの緊急電話サービスの特定番号がダイヤルされた場合にはＩＰネットワークを経由せずに通話することができる。
【００９６】
請求項１８の発明は、請求項１７の発明において、通話相手から周期的に送信されたＩＰパケットのゆらぎを吸収するゆらぎ吸収部を前記ネットワーク通話装置に具備することを特徴とし、ＩＰパケットのゆらぎに起因する音声の乱れや会話の時間差を抑制することができる。
【図面の簡単な説明】
【図１】実施形態１を示すシステム構成図である。
【図２】同上におけるＶｏＩＰターミナルアダプタのブロック図である。
【図３】実施形態２を示すシステム構成図である。
【図４】実施形態３を示すシステム構成図である。
【図５】実施形態４を示すシステム構成図である。
【図６】実施形態５を示すシステム構成図である。
【図７】実施形態６を示すシステム構成図である。
【図８】実施形態７を示すシステム構成図である。
【図９】同上の他のシステム構成図である。
【図１０】実施形態８を示すシステム構成図である。
【図１１】実施形態９を示すシステム構成図である。
【図１２】実施形態１０を示すシステム構成図である。
【図１３】実施形態１１を示すシステム構成図である。
【図１４】実施形態１２を示すシステム構成図である。
【図１５】実施形態１３を示すシステム構成図である。
【図１６】実施形態１４を示すシステム構成図である。
【図１７】実施形態１５を示すシステム構成図である。
【図１８】実施形態１６を示すシステム構成図である。
【図１９】インターネット接続サービスとしてＡＤＳＬを利用した従来例を示すシステム構成図である。
【図２０】インターネット接続サービスとしてケーブルテレビを利用した従来例を示すシステム構成図である。
【図２１】インターネット接続サービスとして光ファイバを利用した従来例を示すシステム構成図である。
【図２２】インターネット接続サービスとしてＩＳＤＮを利用した従来例を示すシステム構成図である。
【符号の説明】
１　情報盤
３　加入者線
６　スプリッタ
７　ＡＤＳＬモデム
１２　ルータ
１３　ハブ
１５　端末
１６　ＬＡＮコンセント
１８　電話機
１９　電話コンセント
２２　ＶｏＩＰターミナルアダプタ
【図１】
2004088379.tif 000003
【図２】
2004088379.tif 000004
【図３】
2004088379.tif 000005
【図４】
2004088379.tif 000006
【図５】
2004088379.tif 000007
【図６】
2004088379.tif 000008
【図７】
2004088379.tif 000009
【図８】
2004088379.tif 000010
【図９】
2004088379.tif 000011
【図１０】
2004088379.tif 000012
【図１１】
2004088379.tif 000013
【図１２】
2004088379.tif 000014
【図１３】
2004088379.tif 000015
【図１４】
2004088379.tif 000016
【図１５】
2004088379.tif 000017
【図１６】
2004088379.tif 000018
【図１７】
2004088379.tif 000019
【図１８】
2004088379.tif 000020
【図１９】
2004088379.tif 000021
【図２０】
2004088379.tif 000022
【図２１】
2004088379.tif 000023
【図２２】
2004088379.tif 000024